(57)【要約】【課題】  従来のカップ容器の蓋は、一度開封すると開封前同等の密閉度を再現した再封止ができない、または多大な時間と手間がかかるという問題があった。これは、カップ容器の開口部をシート状の蓋にて、熱シールまたは、接着シールでおこなっていたためである。【解決手段】  カップ容器本体３１の開口部３２端にあるフランジ部３３をフランジ押えキャップ本体１１にて固定装着し、開口部封止蓋本体２１との圧着により、カップ容器本体３１、開口部３２の封止用蓋体とした。これにより、カップ容器の蓋体を密閉性の高い再封止度合いにて開封、密閉を繰返しおこなうことができる。【選択図】図１
2017171388.tif 000002
【特許請求の範囲】
【請求項１】
フランジ押え用円筒型キャップは、円筒型のキャップ本体１１と、前記キャップ本体１１の内周天壁面１４には、フランジ部３３の外周上面部３５を圧着固定するための接触壁面と、前記外周上面部３５に前記キャップ本体１１を引っかけ設置するためのカップ容器フランジ部３３内縁までの通し穴である貫通円穴１３を備え、開口部封止用円柱型平板蓋は、円柱型の蓋本体２１と、前記蓋本体２１の外周天板面２７には、フランジ部３３の内周下面部３４を密閉圧着封止するための接触天板面を備え、前記キャップ本体１１と前記蓋本体２１は、それぞれ個別単体での分割設置式となっており、カップ容器本体３１のフランジ部３３をキャップ本体１１の内周天壁面１４と蓋本体２１の外周天板面２７での圧着接合により、封止することからなるフランジ付カップ容器用の蓋体。
【請求項２】
前記蓋本体２１の外周天板面２７には、カップ容器本体３１の開口部３２端にあるフランジ部３３の内周下面部３４との接触、密着、封止部となる平パッキン部２２を備え、前記平パッキン部２２は、前記フランジ部３３よりも軟らかい素材での構成からなることを特徴とする前記請求項１記載のフランジ付カップ容器用の蓋体。
【請求項３】
前記蓋本体２１の外周側壁面２６には、おすネジ部２３を備え、前記蓋本体２１の外周底面２５には、取手２４を備え、前記キャップ本体１１の内周側壁面１５には、めすネジ部１２を備え、前記おすネジ部２３と前記めすネジ部１２は、適合にて合致し、前記取手２４を回し、ねじ込み、らごうによるカップ容器本体３１の開口部３２端にあるフランジ部３３の内周下面部３４を前記蓋本体２１の外周天板面２７にて圧着封止、他方フランジ部３３の外周上面部３５を前記キャップ本体１１の内周天壁面１４で圧着固定することからなる前記請求項１または、前記請求項２記載のフランジ付カップ容器用の蓋体。
【発明の詳細な説明】
【技術分野】
【０００１】  本発明は、カップ容器本体３１の開口部３２端にある外側に突出するフランジ部３３外周上面部３５から押えのためのフランジ押え用円筒型キャップ本体１１と前記フランジ部３３内周下面部３４から押えのための開口部封止用円柱型平板蓋本体２１との接合によるフランジ押え用円筒型キャップ、開口部封止用円柱型平板蓋からなるフランジ付カップ容器用の蓋体に関する。
【背景技術】
【０００２】  従来から、カップ容器とカップ容器の開口部を封止するシート状の蓋体が知られている。このシート状の蓋体は、カップ容器の開口端に外側に突出するフランジに接着シールされ、カップ容器の開口部とシート状の蓋体は、接着性樹脂で熱シール処理にて貼着することで構成されている。
【先行技術文献】
【０００３】
【特許文献】
【特許文献】特開２０１２−１５８３５７号公報
【発明の概要】
【発明が解決しようとする課題】
【０００４】  しかしながら、以上に述べた従来のシート状の蓋体では、一度開封してしまうと、再封止が非常に困難であり、開封前同等の密閉度による再封止ができないという問題点があった。また、サランラップやクレラップでカップ容器の開口部を仮に封止しても開封前の封止力を保つことができず、カップ容器内容物の早期品質劣化、外部への散乱という問題点もあった。
上記課題に関して、本発明の目的は、前記カップ容器の開口部における封止シール強度の再現性を高め、繰返し開封、封止しても密閉シール性を可能として、カップ容器内容物の品質維持、安全な保管できるようにするためである。
【課題を解決するための手段】
【０００５】  そして上述した課題を解決するために本発明は、カップ容器本体３１の開口部３２端にある外側に突出するフランジ部３３外周上面部３５の内縁円周口径に適合、前記フランジ３３固定するための貫通円穴１３を有するフランジ押え用円筒型キャップ本体１１を備え、前記フランジ部３３内周下面部３４を圧着密閉するための接触部でカップ容器本体３１の開口部３２封止部となる平パッキン部２２を外周天板面に有する開口部封止用円柱型平板蓋本体２１を備え、前記キャップ本体１１と前記蓋本体２１は、それぞれ個別、単体での分割となっており、前記フランジ部３３の外周上面部３５と内周下面部３４を前記キャップ本体１１と前記蓋本体２１で挟み圧着固定とし、カップ容器本体３１の開口部３２と開口部封止用円柱型平板蓋本体２１の外周天板面２７にある平パッキン部２２を圧着し、密閉し、封止することとなっている。
前記フランジ部３３外部内縁周の口径に前記貫通円穴１３外縁円周部を引っ掛け、円筒型の内周天壁面１４で前記フランジ部３３外周上面部３５を押え固定するための壁面を有し、円筒型の内周側壁面１４には、めすネジ部１２を有する前記フランジ押え用円筒型キャップ本体１１を備え、前記フランジ部３３の内周下面部３４を前記フランジ部３３下面部より、軟らかい素材で構成される、円周帯状の前記平パッキン部２２を有し、円柱型平板の外周側壁面２６には、前記めすネジ部１２に適合する、おすネジ部２３を有し、前記円柱型平板の外周底面２５には、前記おすネジ部２３と前記めすネジ部１２をネジ込むための補助となる突起物である取手２４を有する前記開口部封止用円柱型平板蓋本体２１を備え、前記フランジ部３３にて固定封止、前記フランジ押え用円筒型キャップで前記フランジ部３３を固定し、前記カップ容器を前記開口部封止用円柱型平板蓋で前記フランジ部３３を封止し、前記カップ容器内の内容物を封止し、保管することとなっている。
前記フランジ部３３の外周上面部３５平面視と円筒型の内周天壁面１４平面視において少なくとも一部が前記フランジ部３３の外周上面部３５平面視の外縁部分に重なり圧着固定とし、内周側壁面１５に前記めすネジ部１２を有し、内周天壁面１４には、前記貫通円穴１３が形成される円筒型の内周を有するポリエチレン素材で構成される前記フランジ押え用円筒型キャップ本体１１を備え、前記フランジ部３３の内周下面部３４平面視と外周天板面２７平面視において少なくとも一部が前記フランジ部３３の内周下面部３４平面視の外縁部分に重なり圧着固定とし、前記円柱型平板の外周側壁面２６に前記めすネジ部１２に適合する前記おすネジ部２３を有し、前記円柱型平板の外周底面２５には、円形突起物である前記取手２４を有し、前記円柱型平板の外周天板面２７には、シリコン素材または、ナイロン素材または、ゴム素材または、発砲スチロール素材で形成される前記平パッキン部２２を有するポリエチレン素材で構成される前記開口部封止用円柱型平板蓋本体２１を備え、ガラス製、ポリプロピレン製、アルミ製、またはステンレス製で構成される前記カップ容器本体３１素材より、軟らかい素材で構成されている前記蓋体となっている。
【発明の効果】
【０００６】  上述したように本発明は、前記フランジ押え用円筒型キャップ本体１１と前記開口部封止用円柱型平板蓋本体２１で前記フランジ部３３上面部と下面部を挟み圧着することによって、カップ容器本体３１の開口部３２を一度開封しても封止力を変えることなく、再び再封止できて封止度、シール性を開封前と再現、同等に保つことができる。従って、前記開口部３２を繰り返し開封、密閉にてカップ容器本体３１の内容物を出し入れできる。また、前記フランジ押え用円筒型キャップ本体１１と前記開口部封止用円柱型平板蓋本体２１を個別体で分割できることにより、個別に取替え、交換が可能となり、前記めすネジ部１２と前記おすネジ部２３のネジ込み具合調整による前記蓋本体２１と前記開口部３２との圧着度合いの調整によって封止度微調整を可能とし、カップ容器本体３１内のガス抜き、ガス膨張、凝縮による対応のための内圧調整ができる。また、前記開口部３２の前記フランジ部３３にシート状蓋体にて熱シール接着、封止した場合に比べ、前記開口部封止用円柱型平板蓋本体２１に前記開口部３２端の前記フランジ部３３素材より軟らかい素材による平パッキン部２２を設けることによって、よりカップ容器本体３１の開口部３２との前記蓋体との弾力圧着による密閉度の効率を高めることが可能となり、前記カップ容器本体３１の内容物の品質保持、密閉包装での保管ができる。
【図面の簡単な説明】
【０００７】
【図１】本発明の実施するための使用状態を示す、蓋体全体の構成断面図。
【図２】本発明の実施形態を示す開口部封止用円柱型平板蓋の拡大天板平面図。
【図３】本発明の実施形態を示すフランジ押え用円筒型キャップの拡大内周天壁平面図。
【発明を実施するための形態】
【０００８】以下、本発明の実施の形態を図１、図２、図３に基づいて説明する。
【０００９】  図１は、本発明の実施するための使用状態を示す蓋体全体の構成断面図であって、本実施例は、カップ容器本体３１のフランジ部３３外周上面部３５内縁にフランジ押え用円筒型キャップ本体１１の貫通円穴１３外縁を合致させ、キャップ本体１１内周天壁面１４にて圧着、一方、外周底面２５にある取手２４を押し込みながら、開口部封止用円柱型平板蓋本体２１を押し込み、カップ容器本体３１の開口部３２のフランジ部３３内周下面部３４を外周天板面２７の一部円周帯である平パッキン部２２で圧着押え、密閉封止とする。そして、フランジ押え用円筒型キャップ本体１１内周側壁面１５設置めすネジ部１２、開口部封止用円柱型平板蓋本体２１外周側壁面２６に設置したおすネジ部２３との適合ねじ込み接合により、カップ容器本体３１の開口部３２と前記蓋本体２１をねじ込み圧着固定状態を保つこととなっている。このため、熱シール処理接着なしでカップ容器本体３１を前記蓋体にて、くりかえし開封、封止することができる。また、前記蓋本体２１の平パッキン部２２をプラスチック樹脂製ポリエチレン素材または、シリコン素材とし、カップ容器本体３１の開口部３２をプラスチック樹脂製ポリプロピレン素材または、アルミ素材または、ステンレス製とし、カップ容器本体３１の開口部３２より、やわらかい素材で前記平パッキン部２２構成することでカップ容器本体３１を開口部封止用円柱型平板蓋本体２１にて弾力性、密閉度の高い封止を繰返しおこなうことができる。
カップ容器本体３１の開口部３２端にある外側に突出するフランジ部３３内周下面部３４の内縁周であり、前記開口部３２内縁円周に適合する貫通円穴１３と、円筒型の内周側壁面１５に、めすネジ部１２を有し、内周天壁面１４に前記貫通円穴１３を有するフランジ押え用円筒型キャップ本体１１を備え、前記フランジ部３３内周下面部３４を圧着させ、カップ容器本体３１の開口部３２の封止、密閉、圧着部分となる平パッキン部２２を有し、円柱型平板の外周側壁面２６に、前記めすネジ部１２に適合したおすネジ部２３を有し、外周底面２５平面視において、前記めすネジ部１２に前記おすネジ部２３をねじ込むための突起物である取手２４を有する、開口部封止用円柱型平板蓋本体２１を備えることで、カップ容器本体３１の開口部３２を繰返し開封、密閉できる。
前記フランジ押え用円筒型キャップ本体１１と開口部封止用円柱型平板蓋本体２１は、それぞれ個別体での分割構造となっており、前記フランジ部３３外周上面部３５と内周下面部３４を前記キャップ本体１１と前記蓋本体２１を圧着接合することで挟み込み、前記めすネジ部１２と前記おすネジ部２３のねじ込みによって、前記開口部３２端の前記フランジ部３３に前記平パッキン部２２を押し込み圧着固定することにより、カップ容器本体３１と開口部封止用円柱型平板蓋本体２１を密閉封止することができる。
また、前記フランジ部３３外周上面部３５の内縁円周部へ前記貫通円穴１３外縁円周部を引っかけ、前記フランジ押え用円筒型キャップ本体１１内周天壁面１４で前記フランジ部３３外周上面部３５を押え、他方で前記フランジ部３３の内周下面部３４を前記蓋本体２１の外周天板面２７にある円帯状の前記平パッキン部２２で押え、密閉するために、前記取手２４にて適合した前記めすネジ部１２と前記おすネジ部２３をねじ込み、前記フランジ部３３外周上面部３５と内周下面部３４を前記フランジ押え用円筒型キャップ本体１１と前記開口部封止用円柱型平板蓋本体２１で挟みこむことで圧着し、カップ容器本体３１の開口部３２端の前記フランジ部３３を前記開口部封止用円柱型平板蓋本体２１で封止し、カップ容器本体３１の内容物を密閉、封止することができる。
円盤状でプラスチック製、または金属製である前記フランジ部３３の外周上面部３５と円筒形の内周天壁面１４において少なくとも一部が前記フランジ部３３の外周上面部３５の外縁部分に重なり圧着し、また円筒形の内周壁面１５にめすネジ部１２が形成される円筒内壁を有するフランジ押え用円筒型キャップ本体１１と前記フランジ部３３の内周下面部３４と外周天板面２７において少なくとも一部が前記フランジ部３３の内周下面部３４の外縁部分に重なり圧着し、また外周側壁面２６におすネジ部２３が形成される円柱型平板の蓋本体２１を備え、プラスチック製、または、シリコン製、ゴム製の開口部封止用円柱型平板蓋本体２１の一部分である平パッキン部２２を備え、前記キャップ本体１１と、前記蓋本体２１は、それぞれ個別単体とし、分割での取替え、交換することができる。
【００１０】  図２は本発明の実施形態を示す開口部封止用円柱型平板蓋の拡大天板平面図であって、図に示すように、前記フランジ３３に適合した平パッキン部２２を備える。前記、平パッキン部２２は、カップ容器本体３１の開口部３２端にある外側に突出するフランジ部３３内周下面部３４と接触する位置に属しカップ容器本体３１の開口部３２と開口部封止用円柱型平板蓋本体２１を弾性圧着、密閉することで封止できる。
【００１１】  図３は本発明の実施形態を示すフランジ押え用円筒型キャップ内周拡大天壁平面図であって、図に示すように、前記フランジ部３３外周上面部３５内縁口径適合する、貫通円穴１３を備える。前記、貫通円穴１３は、カップ容器本体３１の開口部３２の前記フランジ部３３外周上面部３５まで前記キャップ本体１１貫通させるため必要最小口径の貫通した円形穴である。前記カップ容器本体３１の開口部３２端にある外側に突出するフランジ部３３は、前記開口部３２端外縁にあたり、フランジ押え用円筒型キャップ本体１１で前記フランジ３３外周上面部３５を引っかけ、前記キャップ本体１１内周天壁面１４にて、前記フランジ部３３外周上面部３５固定押えることにより、カップ容器本体３１の開口部３２を開口部封止用円柱型平板蓋本体２１の前記平パッキン部２２に押え圧着固定するための前記カップ容器本体３１の開口部３２内縁口径と同サイズ、つまり外側突出するフランジ部３３外周上面部３５内縁口径と同サイズ以上または、フランジ部３３外周上面部３５の外縁口径未満の貫通した円形穴であり、開口部３２を密閉封止できる。
【符号の説明】
【００１２】  １  フランジ押え用円筒型キャップ
１１  キャップ本体
１２  めすネジ部
１３  貫通円穴
１４  内周天壁面
１５  内周側壁面
２  開口部封止用円柱型平板蓋
２１  蓋本体
２２  平パッキン部
２３  おすネジ部
２４  取手
２５  外周底面
２６  外周側壁面
２７  外周天板面
３  フランジ付カップ容器
３１  カップ容器本体
３２  開口部
３３  フランジ部
３４  内周下面部
３５  外周上面部
【図１】
2017171388.tif 000003
【図２】
2017171388.tif 000004
【図３】
2017171388.tif 000005
【手続補正書】
【提出日】平成28年12月28日(2016.12.28)
【手続補正１】
【補正対象書類名】特許請求の範囲
【補正対象項目名】請求項１
【補正方法】変更
【補正の内容】
【請求項１】
フランジ押え用円筒型キャップは、円筒型のキャップ本体１１と、前記キャップ本体１１の内周天壁面１４に、フランジ部３３の外周上面部３５を圧着固定するための接触壁面と、前記外周上面部３５に前記キャップ本体１１を引っかけ設置するためのカップ容器フランジ部３３内縁までの通し穴である貫通円穴１３を備え、開口部封止用円柱型平板蓋は、円柱型の蓋本体２１と、前記蓋本体２１の外周天板面２７に、フランジ部３３の内周下面部３４を密閉圧着封止するための接触天板面を備え、前記キャップ本体１１と前記蓋本体２１は、それぞれ個別単体での分割設置式となっており、カップ容器本体３１のフランジ部３３をキャップ本体１１の内周天壁面１４と蓋本体２１の外周天板面２７での圧着接合により、封止することからなるフランジ付カップ容器用の蓋体。